(57)【特許請求の範囲】
【請求項１】
ミラーが取付けられた本体ベースに対して蓋板を開閉自在に取付け、該蓋板を開放すると蓋板に形成されている突起によって本体ベース側に取付けられたスイッチ手段がオンとなり本体ベース側に取付けられたランプが点灯するサンバイザーに取付けられるバニティーミラーであって、
前記蓋板が開閉自在に取付けられた一辺側に車両から電源を供給する車両からのリードが接続された第１の一対の端子が取付けられた本体ベースと、
裏面側に前記第１の端子に電気的に接続可能に形成された第２の一対の端子と、表面側に配置され前記第２の端子の１つの端子に一端が接続された両口タイプのランプと、同じく表面側に取付けられ前記ランプの他端が接続された接触片と、該接触片と対向して配置され前記第２の端子の他の１つと接続された端子片とが取付けられた基板と、該基板の表面側に着脱自在に取付けられたレンズ板とからなる照明ユニットとから構成し、
前記本体ベースの前記第１の端子が形成された部分に前記照明ユニットのレンズ板と共に基板を着脱自在に嵌め込むことで、前記本体ベースの第１の端子と前記基板に形成された第２の端子が電気的に接続状態となって前記第１の端子間に対してランプ、接触片、端子片とが直列接続され、前記蓋板を開閉することで蓋板の突起によって前記端子片が接触片に対して接離して前記ランプの点滅制御が行えるようにしたことを特徴とするバニティーミラー。
【請求項２】
前記基板は前記レンズ板に螺子によって着脱自在に取付けられていることを特徴とする請求項１記載のバニティーミラー。
【請求項３】
前記基板は前記レンズ板に弾性係合によって着脱自在に取付けられていることを特徴とする請求項１記載のバニティーミラー。
【発明の詳細な説明】
【０００１】
【発明の属する技術分野】
本発明は、バニティーミラーの改良に関し、詳しくは、バニティーミラーの厚みを薄くすることができると共に、部品点数の削減を図ることを可能としたバニティーミラーに関するものである。
【０００２】
【従来の技術】
自動車の室内、特にサンバイザーに取り付けられるバニティーミラーには夜間でも使用者が見えるようにランプがついたものが用いられている。図７及び図８は従来のバニティーミラーを示している。これらの図において、符号２０は  バニティーミラーを示し、該バニティーミラー２０はミラー２１が中央部に取り付けられた本体ベース２２と、該本体ベース２２にヒンジ機構によって開閉可能に取り付けられた蓋体２３と、前記ミラー２１の両サイドに取り付けられ、前記蓋体２３の開閉により電源がオン・オフされるランプ部２４とから構成されている。
【０００３】
また、前記ランプ部２４は、本体ベース２２のミラー２１両のサイドに形成された凹部２２１に裏面側から電球保持金具２５，２５が取り付けられ、この電球保持金具２５、２５が本体ベース２２の前面側に突設した保持片２５１，２５１にヒューズ型電球２６が保持されることにより構成されている。
【０００４】
また、各ヒューズ型電球２６，２６は、各電球保持金具２５，２５を介してバスバー２７，２７を用いて接続され、該バスバー２７の一方には車両の電源部（図示せず。）から導かれたリード線Ｌが接続されている。
【０００５】
そして、蓋体２３を開くことにより蓋体２３に設けた突起２３１が、本体ベース２２の裏面に設け、リード線Ｌが接続された「く」の字状の端子片２８を押すことになる。これにより、端子片２８がバスバー２７に接触して電気的に接続されてヒューズ型電球２６が点灯する。また、蓋体２３を閉めると蓋体２３に設けた突起２３１が端子片２８から離れ、端子片２８はその弾性によってもとの位置に戻って電気的接続が解かれ、ヒューズ型電球２６は消灯する。
【０００６】
【発明が解決しようとする課題】
しかし、このような構成からなるバニティーミラー２０は、ヒューズ型電球２６が保持片２５１，２５１によって保持されているため、薄く製作しようとしても保持片２５１，２５１の厚さは必要であり、薄く製作することには限界があった。
【０００７】
また、各ヒューズ型電球２６，２６は電球保持金具２５，２５を介してバスバー２７，２７により接続する必要があるため、製造コストの上昇を招くという問題があった。
【０００８】
本発明は前記した問題点を解決せんとするもので、その目的とするところは、可能な限り薄型にして、かつ、部品点数の削減により製造コストの低減を図ることができるバニティーミラーを提供せんとするものである。
【０００９】
【課題を解決するための手段】
本発明のバニティーミラーは前記した目的を達成せんとするもので、その手段は、ミラーが取付けられた本体ベースに対して蓋板を開閉自在に取付け、該蓋板を開放すると蓋板に形成されている突起によって本体ベース側に取付けられたスイッチ手段がオンとなり本体ベース側に取付けられたランプが点灯するサンバイザーに取付けられるバニティーミラーであって、前記蓋板が開閉自在に取付けられた一辺側に車両から電源を供給する車両からのリードが接続された第１の一対の端子が取付けられた本体ベースと、裏面側に前記第１の端子に電気的に接続可能に形成された第２の一対の端子と、表面側に配置され前記第２の端子の１つの端子に一端が接続された両口タイプのランプと、同じく表面側に取付けられ前記ランプの他端が接続された接触片と、該接触片と対向して配置され前記第２の端子の他の１つと接続された端子片とが取付けられた基板と、該基板の表面側に着脱自在に取付けられたレンズ板とからなる照明ユニットとから構成し、前記本体ベースの前記第１の端子が形成された部分に前記照明ユニットのレンズ板と共に基板を着脱自在に嵌め込むことで、前記本体ベースの第１の端子と前記基板に形成された第２の端子が電気的に接続状態となって前記第１の端子間に対してランプ、接触片、端子片とが直列接続され、前記蓋板を開閉することで蓋板の突起によって前記端子片が接触片に対して接離して前記ランプの点滅制御が行えるようにしたことを特徴とする。
【００１０】
また、前記基板は前記レンズ板に螺子によって着脱自在に取付けられてもよく、さらに、前記基板は前記レンズ板に弾性係合によって着脱自在に取付けてもよい。
【００１１】
【発明の実施の形態】
以下、本発明にかかるバニティーミラーの実施形態について説明する。
まず、図１乃至図４に基づいて本発明にかかるバニティーミラーの全体構成を説明する。ここで、図１は本発明に係るバニティーミラーの正面図、図２は本発明に係るバニティーミラーの背面図、図３は本発明に係るバニティーミラーの組立図、図４は照明ユニットの組立図を示したものである。
【００１２】
これらの図において、符号１は本発明に係るバニティーミラーを示している。このバニティーミラー１は、従来と同様にサンバイザーに取り付けられるものであって、ミラー１１が中央部に位置する本体ベース１２と、該本体ベース１２にヒンジ機構によって開閉可能に取り付けられた蓋板１３と、前記ミラー１１の上部に取り付けられ、前記蓋板１３の開閉により電源がオン・オフされる照明ユニット１４とから構成されている。
【００１３】
詳しく説明すれば、バニティーミラー１を構成する本体ベース１２は、長方形の板状体であって、その中央部には凸型の開口部１２１が形成されている。この開口部１２１には、本体ベース１２の裏面側からミラー１１が本体ベース１２に形成された係止手段１２２，１２２によって取り付けられている。
【００１４】
また、前記開口部１２１の上側には、後述する照明ユニット１４がその端部に設ける係合突起１４１ａ，１４１ａによって着脱自在に取り付けられている。さらに、開口部１２１の上側には、車両から電源を供給するリードが接続されたプラスとマイナスの端子１２３，１２３が設けられている。
【００１５】
次に、蓋板１３は、前記本体ベース１２に嵌合する形状をなした板状体である。そして、蓋板１３は、その長手方向の一辺１３ａの両端が、前記本体ベース１２にピン１５，１５を介して取り付けられると共に、本体ベース１２の裏面側から取り付けられるコ字状の固定金具１６，１６によって、本体ベース１２に対しヒンジ機構をなして開閉可能となっている。また、蓋板１３の当該一辺１３ａには後述するように、蓋板１３の開閉により照明ユニット１４のスイッチをオン・オフするための突起１３１が形成されている。
【００１６】
次に、照明ユニット１４は、長方形をなしたレンズ板１４１と、該レンズ板１４１に螺子によって着脱自在に取り付けられると共に、裏面に２つの端子１４２ａ，１４２ｂを有する基板１４２と、該基板１４２の表面側の略中央部に位置し、一端が基板１４２の裏面側に設ける端子１４２ａに半田付けされるランプ１４３と、該ランプ１４３の他端が半田付けされ、基板１４２の表面に取り付けられた接触片１４４と、該接触片１４４に接触可能に取り付けられ、裏面側に設ける他の端子１４２ｂに接続される端子片１４５とから構成されている。なお、前記ランプは管両端からリードが導出している両口ランプを用いた。
【００１７】
前記レンズ板１４１は、その両端に係合突起１４１ａ，１４１ａが形成され、この係合突起１４１ａ，１４１ａによって本体ベース１２の開口部１２１の上側開口１２１ｂへ着脱自在に装着されることになる。
【００１８】
また、基板１４２の裏面に設ける端子１４２ａ，１４２ｂは、照明ユニット１４を本体ベース１２に装着した場合に、本体ベース１２に設ける端子１２３，１２３と電気的に接続されることになる。さらに、前記端子片１４５は横断面が「く」の字形状をなし、その弾性によって後述するように、照明ユニット１４のスイッチとしての役割を担っている。
【００１９】
次に、図５及び図６を用いて、照明ユニット１４のランプ１４３の点灯動作について説明する。ここで、図５は照明ユニットのランプが消灯している状態を示す説明図、図６は照明ユニットのランプが点灯している状態を示す説明図を示している。
【００２０】
まず、蓋板１３を閉じている場合においては、図５に示すように、蓋板１３に設ける突起１３１は照明ユニット１４の端子片１４５と接触することがないため、端子片１４５と接触片１４４とは離間状態にあり、照明ユニット１４のスイッチはオフ状態となる。
【００２１】
次に、蓋板１３を開けた場合には、図６に示すように、蓋板１３に設ける突起１３１が照明ユニット１４の端子片１４５を当接して押圧すことにより、端子片１４５が変形して  接触片１４４と接触する。これにより、照明ユニット１４のスイッチがオン状態となり、ランプ１４３が点灯することになる。
【００２２】
そして、蓋板１３を再び閉じた場合には、蓋板１３に設ける突起１３１が照明ユニット１４の端子片１４５から離れ、端子片１４５はその弾性によって、図５に示す位置に悖り、接触片１４４と離間状態となりスイッチはオフ状態になる。
【００２３】
なお、ランプ１４３が切れてしまった場合については、レンズ板１４１からランプと一体となった基板１４２を取り外し、新しい基板１４２にかえることにより、ランプ１４３の交換作業を行うことができる。
【００２４】
また、上述の実施形態においては、基板１４２はレンズ板１４１に螺子によって着脱自在に取り付けた場合について説明したが、本発明は何らこれに限定されるものではなく、レンズ板に係合突起を形成し、この係合突起を基板１４２に設ける穴部に対して弾性係合させ、レンズ板と基板と着脱自在に取り付けたものであってもよい。
【００２５】
【発明の効果】
本発明は前記したように、ミラーが取り付けられた本体ベースと、該本体ベースにヒンジ機構によって開閉可能に取り付けられた蓋板と、該蓋板の開閉によりオン・オフするスイッチ、該スイッチが取り付けられた基板、該基板に両端から導出されたリードが接続されたランプおよび前記基板に対して着脱自在なレンズ板とからなる照明ユニットとから構成し、該照明ユニットを前記本体ベースに着脱自在に取り付けたので、従来のように保持片を用いる必要がないため、薄型のバニティーミラーを製作することができる。また、バスバーを用いる必要がないため、製品コストの上昇を招くこともない等の効果を有するものである。。
【図面の簡単な説明】
【図１】図１は、本発明にかかるバニティーミラーの正面図である。
【図２】図２は、本発明にかかるバニティーミラーの背面図である。
【図３】図３は、本発明にかかるバニティーミラーの組立図である。
【図４】図４は、照明ユニットの組立図である。
【図５】図５は、照明ユニットのランプが消灯している状態を示す説明図である。
【図６】図６は、照明ユニットのランプが点灯している状態を示す説明図である。
【図７】従来のバニティーミラーの斜視図である。
【図８】従来のバニティーミラーの背面図である。
【符号の説明】
１        バニティーミラー
１１      ミラー
１２      本体ベース
１２１    開口部
１２１ａ  下側開口
１２１ｂ  上側開口
１２２    係止手段
１２３    端子
１３      蓋板
１３１    突起
１４      照明ユニット
１４１    レンズ板
１４１ａ  係合突起
１４２    基板
１４２ａ  端子
１４２ｂ  端子
１４３    ランプ
１４４    接触片
１４５    端子片
１５      ピン
１６      固定金具
【図１】
0004298931.tif 000002
【図２】
0004298931.tif 000003
【図３】
0004298931.tif 000004
【図４】
0004298931.tif 000005
【図５】
0004298931.tif 000006
【図６】
0004298931.tif 000007
【図７】
0004298931.tif 000008
【図８】
0004298931.tif 000009